(57)【要約】【課題】二重床の低床化を図ることができるとともに、高さ調整範囲を大きくして、施工時の作業性を向上させることができる支持脚及び二重床構造を提供する。【解決手段】支持脚１０は、コンクリートスラブ等の基礎床１上に配設される接床台座１１と、接床台座１１に垂直に支持される支持ボルト１２と、支持ボルト１２に係合する雌ねじ部６５ａを有してその回転動作に伴い上下移動するパネル受け１３と、パネル受け１３の上に積み重ね自在に取り付けられパネル受け面の高さ調整を可能とするアダプタープレート１４とを備え、パネル受け１３は、上方に向かって凸状に変形した凸部６１を有し、接床台座１１に近接させたときに凸部６１の裏面に形成される凹部６３に接床台座１１の少なくとも一部を収納可能に設けられおり、アダプタープレート１４は、凸部６１を挿通する貫通孔４１が設けられている。【選択図】      図２
2015017419.tif 000002
【特許請求の範囲】
【請求項１】
コンクリートスラブ等の基礎床上に配設される接床台座と、前記接床台座に垂直に支持される支持ボルトと、前記支持ボルトに係合する雌ねじ部を有してその回転動作に伴い上下移動するパネル受けと、前記パネル受けの上に積み重ね自在に取り付けられパネル受け面の高さ調整を可能とするアダプタープレートとを備え、前記パネル受けは、上方に向かって凸状に変形した凸部を有し、前記接床台座に近接させたときに該凸部の裏面に形成される凹部に前記接床台座の少なくとも一部を収納可能に設けられおり、前記アダプタープレートは、前記凸部を挿通する貫通孔が設けられていることを特徴とする支持脚。
【請求項２】
前記凸部は円筒カップ状に形成され、前記凸部に、表面が溝状で裏面が突条となるリブ部が、前記凸部を等分割するように該凸部の天面から側面にかけて形成されていることを特徴とする請求項１記載の支持脚。
【請求項３】
前記パネル受けの上面及び前記アダプタープレートの上面には、着脱可能な剥離紙で覆われた粘着面が設けられていることを特徴とする請求項１又は２に記載の支持脚。
【請求項４】
請求項１から３のいずれか一項に記載の支持脚が用いられる二重床構造であって、コンクリートスラブ等の基礎床上に複数設置された上記支持脚の前記パネル受け又は前記アジャスタープレートの上に、下地パネルが載置され、該下地パネルの上に床パネルが敷設されてなり、前記基礎床と前記下地パネルとの間に空間部が形成されていることを特徴とする二重床構造。
【発明の詳細な説明】
【技術分野】
【０００１】
本発明は、コンクリートスラブ等の基礎床上に形成される二重床構造の施工において使用される支持脚及び二重床構造に関する。
【背景技術】
【０００２】
近年、集合住宅やオフィスビルなどの多くの建造物に二重床構造が採用されてきており、コンクリートスラブ等の基礎床と床パネルとの間に空間部を形成して、遮音性を高めるとともに、その空間部に設備配管や配線等を設けることができるようになっている。
【０００３】
この種の二重床として、例えば、特許文献１や特許文献２に記載の支持脚を利用した構造のものが知られている。これらの二重床は、基礎床上に支持脚を並べて、その上に床パネルを配置することにより、これら基礎床と床パネルとの間に空間部を形成したものである。支持脚は、ゴム等からなる接床台座にアジャスターボルトが垂直に立設され、このアジャスターボルトの上端部に四角形小片状の床パネル受けが螺合した構造とされる。
【０００４】
この種の二重床構造では、例えば、基礎床上に並べて配置した支持脚の床パネル受けの上に、パーティクルボードからなる下地パネルが、支持脚のアジャスターボルトの頭部を避けるように１０〜１５ｍｍ程度の隙間をあけて敷設される。この場合、隣合う下地パネルの間に臨ませられた支持脚のアジャスターボルトの上面には回動操作用の工具挿入溝が形成され、下地パネルの上方から差し込んだ工具でアジャスターボルトを回転操作して下地パネルの高さ調整が可能になっている。
下地パネルの上には仕上げパネルが張られ、これらにより床パネルが構成される。この種の二重床構造は、施工の簡便さとコスト面から多くの多層階建造物で利用される。
【０００５】
また、特許文献３では、集合住宅等において広い室内空間を確保するため、床下空間を狭くし、床面を低くした低床の二重床構造が提案されている。
この低床の二重床構造では、支持脚の床パネル受けを金属製の受部材で形成し、床パネル受けの中央部を上方に向かって凸状に変形させてカップ状の凸部を形成し、この凸部の裏側に形成された凹部に接床台座を収容することにより、低床化することとしている。この場合、床パネル受けが金属製であることから板厚を薄くすることができ、さらに低床化を図ることができる。
【先行技術文献】
【特許文献】
【０００６】
【特許文献１】特開平５‐３２１４４３号公報
【特許文献２】特開平７‐２０７８９４号公報
【特許文献３】特開２０１２‐００１９１５号公報
【発明の概要】
【発明が解決しようとする課題】
【０００７】
ところが、このような低床の二重床構造を構成する支持脚は、従来の支持脚よりも低床化された二重床構造の施工を可能とする一方で、床パネル受けの高さ調整範囲が小さくなっている。このため、各支持脚を設置する基礎床の不陸の状態によっては、同種類の支持脚では高さ調整範囲が間に合わず、凹凸の大きさに合わせた調整レベルの異なる複数の支持脚が必要となることがあり、作業効率が悪かった。
【０００８】
本発明は、このような事情に鑑みてなされたもので、二重床の低床化を図ることができるとともに、高さ調整範囲を大きくして、施工時の作業性を向上させることができる支持脚及び二重床構造を提供することを目的とする。
【課題を解決するための手段】
【０００９】
本発明の支持脚は、コンクリートスラブ等の基礎床上に配設される接床台座と、前記接床台座に垂直に支持される支持ボルトと、前記支持ボルトに係合する雌ねじ部を有してその回転動作に伴い上下移動するパネル受けと、前記パネル受けの上に積み重ね自在に取り付けられパネル受け面の高さ調整を可能とするアダプタープレートとを備え、前記パネル受けは、上方に向かって凸状に変形した凸部を有し、前記接床台座に近接させたときに該凸部の裏面に形成される凹部に前記接床台座の少なくとも一部を収納可能に設けられおり、前記アダプタープレートは、前記凸部を挿通する貫通孔が設けられていることを特徴とする。
【００１０】
パネル受けの凹部に接床台座の少なくとも一部を収納して、下地パネルの厚みと接床台座の厚みとの合計の厚みよりも施工高さを低くし、二重床構造の低床化を図ることができる。また、パネル受けの高さ調整を支持ボルトとの螺合により行うことができるとともに、パネル受けにアダプタープレートを重ねることにより、下地パネルの高さ調整範囲を広げることができる。
【００１１】
本発明の支持脚において、前記凸部は円筒カップ状に形成され、前記凸部に、表面が溝状で裏面が突条となるリブ部が、前記凸部を等分割するように該凸部の天面から側面にかけて形成されているとよい。
凸部にリブ部を設けることで補強することができ、上部からの局部集中荷重に対して耐力を増すことができるので、変形を防止することができる。これにより、パネル受けを薄肉化した場合でも十分な強度が得られることから、さらに低床化を図ることが可能となる。
【００１２】
本発明の支持脚において、前記パネル受けの上面及び前記アダプタープレートの上面には、着脱可能な剥離紙で覆われた粘着面が設けられているとよい。
支持脚と下地パネルとを固定する際に、下地パネルと支持脚（パネル受け若しくはアダプタープレート）との位置がずれることがないように、粘着面で仮止めしておくことで、作業性を向上させることができる。
なお、支持脚と下地パネルとは、最終的にはビスや釘等を下地パネルの上面側からパネル受けに打ち込むことにより固定される。また、アダプタープレートがパネル受け上に重ねられている場合には、アダプタープレートを貫通してパネル受けに到達するまでビスや釘等を打ち込むことにより、下地パネル、アダプタープレート、パネル受けが一体に固定される。
【００１３】
本発明の二重床構造は、コンクリートスラブ等の基礎床上に複数設置された上記支持脚の前記パネル受け又は前記アジャスタープレートの上に、下地パネルが載置され、該下地パネルの上に床パネルが敷設されてなり、前記基礎床と前記下地パネルとの間に空間部が形成されていることを特徴とする。
【発明の効果】
【００１４】
本発明によれば、パネル受けの凹部に接床台座の少なくとも一部を収納することにより二重床の低床化を図ることができる。また、パネル受けの高さ調整を支持ボルトとの螺合により行うことができるとともに、アダプタープレートによりパネル受け面の高さ調整が可能となるので、下地パネルの高さ調整範囲を広げることができ、施工時の作業性を向上させることができる。
【図面の簡単な説明】
【００１５】
【図１】本発明の二重床構造の一実施形態を示す床の平面図である。
【図２】図１の二重床構造の支持脚を拡大した一部断面図であり、（ａ）がアダプタープレート未使用状態、（ｂ）がアダプタープレート使用状態を示す。
【図３】図２（ｂ）の支持脚の上面図である。
【図４】支持脚を構成するパネル受けとアジャスタープレートを説明する斜視図である。
【図５】他の実施形態を示す二重床構造の床の平面図である。
【発明を実施するための形態】
【００１６】
以下、本発明の支持脚及び二重床構造を、図面を参照しながら説明する。
図１及び図２に示すように、本実施形態の二重床構造１００は、コンクリートスラブ等の基礎床１上に複数の支持脚１０を並べて、支持脚１０の上に下地パネル２が敷設され、この下地パネル２の上に床パネル３を敷設することにより、基礎床１と床パネル３との間に空間部４を構成する。
【００１７】
支持脚１０は、図２に示すように、基礎床１上に配設される接床台座１１と、接床台座１１に垂直に支持された支持ボルト１２と、この支持ボルト１２に係合する雌ねじ部６５ａを有してその回転動作に伴い上下移動するパネル受け１３と、このパネル受け１３の上に積み重ね自在に取り付けられるアダプタープレート１４とから構成されている。
【００１８】
接床台座１１は防振ゴムからなり、床パネル３や下地パネル２からの衝撃を減衰させて基礎床１への伝達を防止し、遮音性や衝撃緩和性が高められている。これら接床台座１１は、支持ボルト１２の下端部を回転自在に支持している。
支持ボルト１２の上面には、工具挿入溝（例えばプラスドライバ挿入溝）１２ａが形成されている（図３）。この工具挿入溝１２ａを介して工具で支持ボルト１２を回転させることにより、この支持ボルト１２に対してパネル受け１３を上下動させ、基礎床１からの下地パネル２の高さを調節することができる。
【００１９】
パネル受け１３は、下地パネル２を支えるベース部材１５と、雌ねじ部６５ａが形成されたナット部材１６とにより構成され、これらベース部材１５とナット部材１６とが一体に形成されている。
ベース部材１５は、廃材等から得られる木片チップを接着剤で固めた正方形のパーティクルボード、あるいは合板又はＯＳＢ合板（ＯＳＢ：Ｏｒｉｅｎｔｅｄ  Ｓｔｒａｎｄ  Ｂｏａｒｄ，配向性ストランドボードともいう）により構成され、下地パネル２を下方から支持するとともに、固定部材５を電動ドライバー等の工具で下地パネル２の上面側から打ち込むことにより下地パネル２をベース部材１５（支持脚１０）と固定することができるようになっている。
ベース部材１５の中央部分には、貫通孔５１が上下方向に沿って形成されており、ナット部材１６の凸部６１を下方から挿通し、凸部６１の先端部分を貫通孔５１から突出させた状態で取り付けることができるようになっている。また、ベース部材１５の上面には、下地パネル２の仮止め用の両面テープ１７及び剥離紙（図示略）が設けられている。
【００２０】
なお、ＯＳＢは、木材を薄い削片状にしてから乾燥させ、熱硬化性接着剤とともに積層し、高温のプレス処理を経て強固な板材に構成されたものである。削片状のエレメントは、パーティクルボードに用いられるものよりも面積が大きく薄い板状をしており、木材の異方性がより多く残されている。このように、ＯＳＢは、裁断サイズがパーティクルボードよりも大きくなっていることで生木本来の性質がより残され、抵抗力が強く、カビの発生も防がれる。さらに、ＯＳＢは、合板と比較した場合に面内せん断力が大きいことで強度がより大きくなり、耐久性にも優れる。また、合板やＯＳＢは、パーティクルボードよりも含水率の変化に対する寸法変化率が小さく、耐水性に優れている。
【００２１】
ナット部材１６は、例えば板厚２〜３ｍｍの金属板をプレス加工することにより形成されており、図２に示すように、円筒カップ状の凸部６１の下端外縁にフランジ部６２が一体に形成された形状とされている。そして、その凸部６１の裏面側には、接床台座１１の一部が収納可能なように、接床台座１１の外径と比べて十分大きい内径の凹部６３が形成されている。
また、凸部６１には、表面が溝上で裏面が突条となるリブ部６４が、その凸部６１を等分割するように凸部６１の天面から側面にかけて形成されており、このリブ部６４を設けることで、上部からの局部集中荷重に対して耐力を増加させ、補強している。なお、本実施形態においては、凸部６１を四分割するように十字状のリブ部６４を形成したが、凸部６１を三分割するようなリブ部でも、同様の効果を得ることができる。
【００２２】
また、凸部６１の天面中心部分にはバーリング加工によって下方に折り曲げた筒状部６５が形成され、この筒状部６５の内周面に支持ボルト１２と螺合する雌ねじ部が形成されている。そして、凸部６１の天面には、雌ねじ部６５ａを囲むように接着剤を溜めることができる接着剤溜め６６が周縁部を残して一回り小さい凹状に形成されている。
【００２３】
凸部６１のフランジ部６２の外周縁には、少なくとも３本の爪部６７が等間隔に立設され、図２に示すように、ナット部材１６の凸部６１をベース部材１５の貫通孔５１に挿通した状態で取り付ける際に、この爪部６７がベース部材１５に食い込んで固着されるようになっている。なお、接着剤によりナット部材１６とベース部材１５とを接着することもできる。
【００２４】
凸部６１の突出高さｈ（ベース部材１５の上面からの高さ）は、下地パネル２の厚みよりも低く形成されている。下地パネル２の厚さと凸部６１の突出高さｈが同じ場合、パネル受け１３を下方に移動したときに支持ボルト１２の頭部が下地パネル２の上面よりも上方に突出して、床パネル３と干渉してしまうため、パネル受け１３の上下位置を調整しても、支持ボルト１２の頭部が下地パネル２上面から突出しない寸法関係に設定するのがよい。この場合、パネル受け１３の凸部６１の突出高さｈは、下地パネル２の厚さの１／３〜２／３に設定されているとよく、下地パネル２の厚さと凸部６１の突出高さｈとの差分が、下地パネル２の高さの調整代となる。より好ましくは、凸部６１の突出高さは下地パネル２の厚さの１／２程度とするのがよい。
本実施形態では、下地パネル２の厚さ２０ｍｍに対して凸部６１の突出高さｈはその半分の１０ｍｍとされている。また、ベース部材１５の厚みは１５ｍｍとされている。
【００２５】
なお、本実施形態のナット部材１６は、厚さ２〜３ｍｍの金属板をプレス加工することにより形成されているが、金属板の他に、プラスチック板（ポリプロピレン、ナイロン等）等で形成してもよく、ベース部材１５より剛性の高い材料であれば使用可能である。
【００２６】
また、アダプタープレート１４は、ベース部材１５にも用いた廃材等から得られる木片チップを接着剤で固めた正方形のパーティクルボード、あるいは合板又はＯＳＢ合板から構成される。
アダプタープレート１４の中央部分には、パネル受け１３の凸部６１を挿通する貫通孔４１が設けられており、この貫通孔４１をパネル受け１３の凸部に挿通させた状態でアダプタープレート１４をパネル受け１３（ベース部材１５）上に重ねることで、アダプタープレート１４をパネル受け１３の所定の位置に容易に取り付けることができる。そして、支持脚１０は、アダプタープレート１４の厚み分だけパネル受け面（下地パネル２の載置面）の高さ調整範囲を広げることができる。
また、アダプタープレート１４は、ベース部材１５の上面に設けられた下地パネル２の仮止め用の両面テープ１７を使用して仮止めすることができる。その一方で、アダプタープレート１４の上面にも、下地パネル２の仮止め用の両面テープ１７及び剥離紙（図示略）が設けておくことで、下地パネル２の仮止めも行えるようになっている。
【００２７】
以上のように構成した支持脚１０を用いて二重床構造１００を施工する。
図１に示すように、複数の支持脚１０を、四方を壁によって区画された部屋の中に所定間隔をおいて配置する。この際、基礎床１の不陸の状態によって（その凹凸の大きさに合わせて）、各場所の支持脚１０ごとにアダプタープレート１４を使用するか否かを選択する。
まず、支持脚１０のパネル受け１３（ベース部材１５）の上に下地パネル２を載置し、支持ボルト１２を回してパネル受け１３の上面（パネル受け面）の高さ調整をする。そして、パネル受け１３を支持ボルト１２の上端まで配置した状態としても高さが足りず、さらにパネル受け面をパネル受け１３の上面よりも上方に配置したい場合は、パネル受け１３の上にアダプタープレート１４を重ねて再度高さ調整を行う。
このように、アダプタープレート１４を使用する支持脚１０については、ベース部材１５（パネル受け１３）の表面の剥離紙を剥がして両面テープ１７の粘着面を露出させ、その上にアダプタープレート１４を重ねて仮止めしておく。
そして、各支持脚１０上に下地パネル２を敷設する際に、ベース部材１５の表面又はアダプタープレート１４の表面の剥離紙を剥がして、両面テープ１７の粘着面を露出させ、その上に下地パネル２を載置する。
【００２８】
下地パネル２は、支持脚１０のベース部材１５にも用いた廃材等から得られる木片チップを接着剤で固めた長方形のパーティクルボード、あるいは合板又はＯＳＢ合板により構成される。そして、下地パネル２は、図１及び図４に示すように、その長辺を相互に平行にして縦に並べられるとともに、短辺間の目地２０が隣接する列で長辺の半分ずつの長さでずれた配置で並べられる。また、各下地パネル２は、四隅部を三角形に切欠いて切欠部２ａ（切欠き側面）を形成した形状とされ、下地パネル２の長辺の側面と、その長辺に沿って配置される二枚の下地パネル２の切欠部２ａの側面とをパネル受け１３の凸部６１に当接させて配置することにより、一定の間隔（直線目地部２２）を設けて敷設される。
この際、パネル受け１３の凸部６１は、目地２０の各直線目地部２２がＴ字状に交わる各交差部２１にそれぞれ配置され、交差部２１の空間を構成する三枚の下地パネル２の側面に内接した状態となる。
【００２９】
この場合、パネル受け１３の凸部６１を下地パネル２の三枚の継ぎ目部分（直線目地部２２の交差部２１）に格納するため、例えば２尺×３尺（６００×９１０ｍｍ）の下地パネル２を使用し、下地パネル２の継ぎ目部分の全てに支持脚１０を設置し、下地パネル２の四隅の角を斜めに切欠することで、パネル受け１３の凸部６１を収納できる三角形の空間を下地パネル２の継ぎ目部分に形成している。
また、二枚の下地パネル２で構成される直線目地部２２に、パネル受け１３を配置しなくてもすむように、２尺×３尺の下地パネル２に形成し、目地２０の交差部２１を三枚の下地パネル２で構成して、三角形の空間を形成することにより、これら各空間にパネル受け１３の凸部６１をそれぞれ格納することができる。
また、図５の二重床構造２００に示すように、下地パネル２０２を２尺×２尺に形成して、四枚の下地パネル２０２の四隅部を切欠いた側面で形成される四角形の各空間（直線目地部２２２の交差部２２１）に、パネル受け１３の凸部６１をそれぞれ格納してもよい。
【００３０】
次に、図３に示すように、ビス又は釘等の固定部材５を下地パネル２の上面側からパネル受け１３に打ち込み、下地パネル２を支持脚１０に固定する。この際、下地パネル２と支持脚１０（パネル受け１３及びアダプタープレート１４）との位置がずれることがないように、両面テープ１７で仮止めしておくことで、作業性を向上させることができる。
なお、支持脚１０と下地パネル２とは、アダプタープレート１４がパネル受け１３上に重ねられている場合には、アダプタープレート１４を貫通してパネル受け１３に到達するまで固定部材５を打ち込むことにより、下地パネル２、アダプタープレート１４、パネル受け１３が一体に固定される。
この時、下地パネル２間に形成された目地２０に配置された支持ボルト１２の工具挿入溝１２ａに工具を係合させ、支持ボルト１２を軸芯回りに回転させる。これにより、パネル受け１３を上下移動させ、下地パネル２の基礎床１からの高さを微調整し、施工高さに調整することができる。
【００３１】
接着剤をパネル受け１３から突出する支持ボルト１２の先端部分に供給し、接着剤を支持ボルト１２とパネル受け１３の雌ねじ部６５ａとの係合部に注入して支持ボルト１２を固定し、下地パネル２の高さが変動しないようにする。上述したように、パネル受け１３の雌ねじ部６５ａの周囲には凹状の接着剤溜め６６が設けられているので、この接着剤溜め６６で接着剤が保持され、支持ボルト１２とパネル受け１３の雌ねじ部６５ａとの間に接着剤が入り込み易くなっている。
最後に、下地パネル２の表面に床パネル３を敷設して、二重床構造１００を仕上げる。
【００３２】
このように、本実施形態の二重床構造１００では、下地パネル２の目地２０の交差部２１に支持脚１０の凸部６１を配置するとともに、凸部６１の裏側に設けられた凹部６３に接床台座１１の一部を収納可能にしたので、二重床構造の低床化を図ることができる。また、パネル受け１３の高さ調整を支持ボルト１２との螺合により行うことができるとともに、パネル受け１３にアダプタープレート１４を重ねることによって下地パネル２の高さ調整範囲を広げることができるので、二重床施工時の作業性を向上させることができる。
また、パネル受け１３の凸部６１にリブ部６４を設けることで補強しているので、上部からの局部集中荷重に対して耐力を増すことができ、変形を防止することができる。これにより、パネル受け１３を薄肉化した場合でも十分な強度が得られることから、さらに低床化を図ることが可能となる。
【００３３】
なお、本発明は上記実施形態に限定されるものではなく、本発明の趣旨を逸脱しない範囲において種々の変更を加えることが可能である。
【符号の説明】
【００３４】
１００，２００  二重床構造
１  基礎床
２，２０２  下地パネル
２ａ  切欠部
３  床パネル
４  空間部
５  固定部材
１０  支持脚
１１  接床台座
１２  支持ボルト
１２ａ  工具挿入溝
１３  パネル受け
１４  アダプタープレート
１５  ベース部材
１６  ナット部材
１７  両面テープ
２０  目地
２１，２２１  交差部
２２，２２２  直線目地部
４１  貫通孔
５１  貫通孔
６１  凸部
６２  フランジ部
６３  凹部
６４  リブ部
６５  筒状部
６５ａ  雌ねじ部
６６  接着剤溜め
６７  爪部
【図１】
2015017419.tif 000003
【図２】
2015017419.tif 000004
【図３】
2015017419.tif 000005
【図４】
2015017419.tif 000006
【図５】
2015017419.tif 000007